(57)【要約】【課題】  折り畳み式電子機器においてヒンジ機構を構成する円筒状部材のクラックを抑制する。【解決手段】  本発明に係る折り畳み式携帯電話機においては、一対の筐体がヒンジ機構3aを介して互いに開閉可能に連結され、該ヒンジ機構3aは、ヒンジ軸上に設置された軸部31と、該軸部31の外周面を包囲する合成樹脂製の円筒部36とを具え、前記軸部31が一方の筐体に連繋すると共に、前記円筒部36が他方の筐体に連繋して、両筐体の開閉に伴って軸部31と円筒部36が互いに相対回転する。ここで、ヒンジ機構3aを構成する円筒部36には、該円筒部36の外周面を覆って、Ｃ字状の金属カバー35が装着されている。【選択図】      図２
2006283882.tif 000002
【特許請求の範囲】
【請求項１】
一対の筐体がヒンジ機構を介して互いに開閉可能に連結され、該ヒンジ機構は、ヒンジ軸上に設置された軸部材と、該軸部材の外周面を包囲する合成樹脂製の円筒状部材とを具え、前記軸部材が一方の筐体に連繋すると共に、前記円筒状部材が他方の筐体に連繋して、両筐体の開閉に伴って軸部材と円筒状部材が互いに相対回転する折り畳み式電子機器において、前記ヒンジ機構を構成する円筒状部材には、該円筒状部材の外周面を覆って、金属製の補強部材が装着されていることを特徴とする折り畳み式電子機器。
【請求項２】
前記補強部材は、Ｃ字状の金属カバー(35)によって構成されている請求項１に記載の折り畳み式電子機器。
【請求項３】
前記ヒンジ機構(3a)はヒンジフレーム(30)を具え、該ヒンジフレーム(30)は、ヒンジ軸上に軸部(31)を有する第１フレーム部(37)と、前記軸部(31)の外周面に相対回転可能に嵌合する円筒部(36)を有する第２フレーム部(38)とから構成され、第１フレーム部(37)の端部が一方の筐体に連結されると共に、第２フレーム部(38)の端部が他方の筐体に連結されて、第１フレーム部(37)の軸部(31)が前記軸部材を構成すると共に、第２フレーム部(38)の円筒部(36)が前記円筒部材を構成している請求項１又は請求項２に記載の折り畳み式電子機器。
【請求項４】
前記ヒンジ機構(3b)はヒンジユニット(４)を具え、該ヒンジユニット(４)は、ヒンジ軸上にて互いに相対回転可能な第１軸部(40)と第２軸部(41)を有し、該ヒンジユニット(４)の第１駒部(42)の外周面に、一方の筐体に突設された円筒状の第１駒部(42)が相対回転不能に嵌合すると共に、第２駒部(43)の外周面に、他方の筐体に突設された円筒状の第２駒部(43)が相対回転不能に嵌合して、前記第１軸部(40)と第２軸部(41)の内、筐体の側面寄りに位置する一方の軸部(40)が前記軸部材を構成すると共に、該一方の軸部(40)に嵌合する駒部(42)が前記円筒状部材を構成している請求項１又は請求項２に記載の折り畳み式電子機器。
【発明の詳細な説明】
【技術分野】
【０００１】
本発明は、折り畳み式携帯電話機の如く、ヒンジ機構を介して一対の筐体が互いに連結されて開閉が可能な折り畳み式電子機器に関するものである。
【背景技術】
【０００２】
折り畳み式携帯電話機においては、操作キーを具えた操作側筐体とディスプレイを具えた表示側筐体とが、ヒンジ機構を介して互いに開閉可能に連結されている(例えば特許文献１参照)。
【０００３】
図６は、従来のヒンジ機構の一構成例を表わしており、該ヒンジ機構(５)はヒンジフレーム(30)を具え、該ヒンジフレーム(30)は、互いに相対回転可能に係合する第１フレーム部(37)と第２フレーム部(38)とから構成されている。第１フレーム部(37)は、ヒンジ軸上に軸部(31)を具える一方、第２フレーム部(38)は、第１フレーム部(37)の軸部(31)の外周面に相対回転可能に嵌合する円筒部(36)を具え、該円筒部(36)は合成樹脂によって形成されている。
【特許文献１】特開平１１−４１３２８号公報[H04M 1/02]
【発明の開示】
【発明が解決しようとする課題】
【０００４】
しかしながら、従来の折り畳み式携帯電話機においては、一対の筐体を勢いよく開いたときや、一対の筐体を開いた状態で更に拡開方向に無理な力を加えた場合、ヒンジ機構を構成する円筒部(36)に大きな外力が作用して、該円筒部(36)にクラックが発生することがあり、一対の筐体の開閉の繰り返しに伴って該クラックが徐々に拡大し、場合によっては最終的に開閉操作が不能となる問題があった。
【０００５】
そこで本発明の目的は、ヒンジ機構を構成する円筒状部材におけるクラックの発生を抑制することが可能であり、仮に過大な力の作用によって円筒状部材にクラックが発生したとしても該クラックがそれ以上拡大する虞のない折り畳み式電子機器を提供することである。
【課題を解決するための手段】
【０００６】
本発明に係る折り畳み式電子機器においては、一対の筐体がヒンジ機構を介して互いに開閉可能に連結され、該ヒンジ機構は、ヒンジ軸上に設置された軸部材と、該軸部材の外周面を包囲する合成樹脂製の円筒状部材とを具え、前記軸部材が一方の筐体に連繋すると共に、前記円筒状部材が他方の筐体に連繋して、両筐体の開閉に伴って軸部材と円筒状部材が互いに相対回転する折り畳み式電子機器において、前記ヒンジ機構を構成する円筒状部材には、該円筒状部材の外周面を覆って、金属製の補強部材が装着されている。
【０００７】
上記本発明に係る折り畳み式電子機器においては、一対の筐体を開いた状態で更に拡開方向に無理な力を加えた場合、これに伴って、ヒンジ機構を構成する円筒状部材に大きな外力が作用することになるが、該円筒状部材の外周面には金属製の補強部材が装着されて、円筒状部材が補強されているので、円筒状部材におけるクラックの発生が抑制される。
又、仮に過大な力の作用によって円筒状部材にクラックが発生したとしても、円筒状部材は、その外周面に対し、補強部材から縮径方向の圧着力を常時受けているので、一対の筐体の開閉の繰り返しに伴って該クラックが徐々に拡大する虞はない。
【０００８】
具体的構成において、前記補強部材は、Ｃ字状の金属カバー(35)によって構成されている。
該具体的構成においては、ヒンジ機構を構成する軸部材と一方の筐体との連結部分にＣ字状金属カバー(35)の開口部分を対応させて、円筒状部材の外周面に金属カバー(35)が装着される。ここで、金属カバー(35)の内径を軸部材の外径よりも小さく形成しておけば、金属カバー(35)は円筒状部材に装着された状態でその弾性復帰力により該円筒状部材の外周面に大きな圧着力を作用させることが出来、これによってクラックの発生並びにクラックの拡大を効果的に防止することが出来る。
【０００９】
具体的構成において、前記ヒンジ機構(3a)はヒンジフレーム(30)を具え、該ヒンジフレーム(30)は、ヒンジ軸上に軸部(31)を有する第１フレーム部(37)と、前記軸部(31)の外周面に相対回転可能に嵌合する円筒部(36)を有する第２フレーム部(38)とから構成されている。第１フレーム部(37)の端部が一方の筐体に連結されると共に、第２フレーム部(38)の端部が他方の筐体に連結されて、第１フレーム部(37)の軸部(31)が前記軸部材を構成すると共に、第２フレーム部(38)の円筒部(36)が前記円筒部材を構成している。
【００１０】
該具体的構成によれば、ヒンジフレーム(30)を構成する第２フレーム部(38)の円筒部(36)に金属カバー(35)を装着することによって、円筒部(36)におけるクラックの発生を抑制することが出来る。
【００１１】
他の具体的構成において、前記ヒンジ機構(3b)はヒンジユニット(４)を具え、
該ヒンジユニット(４)は、ヒンジ軸上にて互いに相対回転可能な第１軸部(40)と第２軸部(41)とから構成され、該ヒンジユニット(４)の第１駒部(42)の外周面に、一方の筐体に突設された円筒状の第１駒部(42)が相対回転不能に嵌合すると共に、第２駒部(43)の外周面に、他方の筐体に突設された円筒状の第２駒部(43)が相対回転不能に嵌合して、前記第１軸部(40)と第２軸部(41)の内、筐体の側面寄りに位置する一方の軸部(40)が前記軸部材を構成すると共に、該一方の軸部(40)に嵌合する駒部(42)が前記円筒状部材を構成している。
【００１２】
該具体的構成によれば、ヒンジユニット(４)を構成する前記一方の軸部(40)に嵌合する駒部(42)に金属カバー(35)を装着することによって、該駒部(42)におけるクラックの発生を抑制することが出来る。
【発明の効果】
【００１３】
本発明に係る折り畳み式電子機器によれば、ヒンジ機構を構成する円筒状部材におけるクラックの発生を抑制することが可能であり、仮に過大な力の作用によって円筒状部材にクラックが発生したとしても該クラックがそれ以上拡大する虞はない。
【発明を実施するための最良の形態】
【００１４】
以下、本発明を折り畳み式携帯電話機に実施した形態につき、図面に沿って具体的に説明する。
第１実施例
図１に示す如く、本実施例の折り畳み式携帯電話機は、操作側筐体(１)と表示側筐体(２)とを具え、両筐体(１)(２)がヒンジ機構(3a)によって互いに開閉可能に連結されている。操作側筐体(１)の内面には、操作キー(10)や送話部(11)が配備され、表示側筐体(２)の内面にはディスプレイ(20)や受話部(21)が配備されている。
【００１５】
又、操作側筐体(１)のヒンジ機構(3a)側の端部には、左右一対の円筒状の第１ヒンジ収容部(12)(12)が突設されると共に、表示側筐体(２)のヒンジ機構(3a)側の端部には、中央部に円柱状の第２ヒンジ収容部(22)が突設されている。第１ヒンジ収容部(12)(12)と第２ヒンジ収容部(22)は同軸上に配備され、これらのヒンジ収容部(12)(12)(22)の内部に、図２及び図３に示すヒンジフレーム(30)が収容されている。
【００１６】
ヒンジフレーム(30)は、図示の如く、互いに相対回転可能に係合する第１フレーム部(37)と第２フレーム部(38)とから構成され、第１フレーム部(37)は、ヒンジ軸上に設置された軸部(31)を具え、該軸部(31)には、同軸上に、支持部(39)が連結され、該支持部(39)に、一対の支持アーム(34)(34)が互いに平行に突設されている。
【００１７】
第２フレーム部(38)には、第１フレーム部(37)の軸部(31)の外周面に相対回転可能に嵌合する円筒部(36)が設けられると共に、一対の支持片(32)(32)が突設されている。
そして、ヒンジフレーム(30)を構成する第２フレーム部(38)の円筒部(36)の外周面に、Ｃ字状を呈するステンレス鋼製の金属カバー(35)が圧着されている。
【００１８】
図４は、ヒンジフレーム(30)に操作側筐体(１)と表示側筐体(２)とを連結した状態を示しており、ヒンジフレーム(30)の第１フレーム部(37)に突設された前記一対の支持アーム(34)(34)に表示側筐体(２)が連結されると共に、第２フレーム部(38)に突設された一対の支持片(32)(32)に操作側筐体(１)が連結されている。
【００１９】
上記折り畳み式携帯電話機においては、両筐体(１)(２)の開閉に伴って、ヒンジフレーム(30)を構成する軸部(31)と円筒部(36)が互いに相対回転する。
ここで、両筐体(１)(２)を開いた状態で更に拡開方向に無理な力が作用したとしても、円筒部(36)の外周面には金属カバー(35)が装着されて、円筒部(36)が補強されているので、円筒部(36)におけるクラックの発生が抑制される。
又、仮に過大な力の作用によって円筒部(36)にクラックが発生したとしても、円筒部(36)は、その外周面に対し、金属カバー(35)から縮径方向の圧着力を常時受けているので、両筐体(１)(２)の開閉の繰り返しに伴って該クラックが徐々に拡大する虞はなく、開閉操作が不能となることはない。
【００２０】
第２実施例
図５に示す如く、本実施例の折り畳み式携帯電話機は、操作側筐体(１)と表示側筐体(２)とを具え、両筐体(１)(２)がヒンジ機構(3b)によって互いに開閉可能に連結されており、ヒンジ機構(3b)の構成を除き、他の構成は第１実施例の折り畳み式携帯電話機と同じである。
【００２１】
ヒンジ機構(3b)は、操作側筐体(１)のヒンジ機構(3b)側の端部に突設された左右一対の円筒状の第１駒部(42)(42)と、表示側筐体(２)のヒンジ機構(3b)側の端部に突設された左右一対の円筒状の第２駒部(43)(43)とを同軸上に配備すると共に、互いに隣接する第１駒部(42)と第２駒部(43)の中央孔に対してヒンジユニット(４)を嵌入せしめて構成されている。
【００２２】
左右一対のヒンジユニット(４)(４)はそれぞれ、互いに相対回転可能な第１軸部(40)と第２軸部(41)とから構成され、第1軸部(40)の外周面に第１駒部(42)が相対回転不能に嵌合し、第２軸部(41)の外周面に第２駒部(43)が相対回転不能に嵌合している。
そして、操作側筐体(１)に突設された左右一対の第１駒部(42)(42)の外周面にそれぞれ、Ｃ字状を呈するステンレス鋼製の金属カバー(35)が圧着されている。
【００２３】
上記折り畳み式携帯電話機においては、両筐体(１)(２)の開閉に伴って、ヒンジユニット(４)の第１軸部(40)と第２軸部(41)が相対回転することになる。
ここで、両筐体(１)(２)を開いた状態で更に拡開方向に無理な力が作用したとしても、操作側筐体(１)に突設された第１駒部(42)(42)の外周面にはそれぞれ金属カバー(35)が装着されて、第１駒部(42)が補強されているので、第１駒部(42)におけるクラックの発生が抑制される。
又、仮に過大な力の作用によって第１駒部(42)にクラックが発生したとしても、第１駒部(42)は、その外周面に対し、金属カバー(35)から縮径方向の圧着力を常時受けているので、両筐体(１)(２)の開閉の繰り返しに伴って該クラックが徐々に拡大する虞はなく、開閉操作が不能となることはない。
【００２４】
尚、本発明の各部構成は上記実施の形態に限らず、特許請求の範囲に記載の技術的範囲内で種々の変形が可能である。例えば、本発明の折り畳み式携帯電話機においては、金属カバー(35)をＣ字状に形成しているが、これに限らず、金属カバー(35)を装着すべき円筒状部材の形状に応じて、種々の形状に変更することが出来る。
【図面の簡単な説明】
【００２５】
【図１】本発明の第１実施例に係る折り畳み式携帯電話機の開き状態の斜視図である。
【図２】該折り畳み式携帯電話機に装備されているヒンジフレームの斜視図である。
【図３】該ヒンジフレームから金属カバーを取り外した状態の斜視図である。
【図４】該折り畳み式携帯電話機の内部構造を示す斜視図である。
【図５】本発明の第２実施例に係る折り畳み式携帯電話機の開き状態の斜視図である。
【図６】従来の折り畳み式携帯電話機に装備されているヒンジフレームの斜視図である。
【符号の説明】
【００２６】
(１)  操作側筐体
(２)  表示側筐体
(30)  ヒンジフレーム
(31)  軸部
(35)  金属カバー
(36)  円筒部
(37)  第１フレーム部
(38)  第２フレーム部
(４)  ヒンジユニット
(40)  第1軸部
(41)  第２軸部
(42)  第１駒部
(43)  第２駒部
【図１】
2006283882.tif 000003
【図２】
2006283882.tif 000004
【図３】
2006283882.tif 000005
【図４】
2006283882.tif 000006
【図５】
2006283882.tif 000007
【図６】
2006283882.tif 000008